(57)【要約】      （修正有）【課題】基地局装置間を移動する無線端末装置の通信制御をより簡易に行うことができる基地局装置を提供する。【解決手段】無線通信システム１は、通信エリアＡ内に配置され、それぞれ独自の通信可能な範囲を有する複数の基地局装置ＡＰ１ａ〜ＡＰ３ａと、基地局装置ＡＰ１ａ〜ＡＰ３ａの各々と通信可能な無線端末装置ＭＮ１と、を有する。基地局装置ＡＰ１ａ〜ＡＰ３ａのうちの少なくとも１つは、通信エリアＡ内において複数の基地局装置ＡＰ１ａ〜ＡＰ３ａとの通信が許可される無線端末装置ＭＮ１を識別する鍵情報を発行する鍵情報発行回路を有する。無線端末装置ＭＮ１は、ブロードキャスト通信によりデータを送信する。各基地局装置ＡＰ１ａ〜ＡＰ３ａは、無線端末装置ＭＮ１が送信したデータを受信し、鍵情報に基づいて、無線端末装置ＭＮ１から受信したデータを処理の対象とするか否かの判断をし、データを処理する。【選択図】図１
2019004273.tif 000002
【特許請求の範囲】
【請求項１】
所定の通信エリア内に配置され、それぞれ独自の通信可能な範囲を有する複数の基地局装置と、
前記複数の基地局装置のそれぞれと通信可能な無線端末装置と、
を備える無線通信システムであって、
前記複数の基地局装置のうちの少なくとも１つは、
前記所定の通信エリア内において前記複数の基地局装置との通信が許可される無線端末装置を識別する鍵情報を発行する鍵情報発行回路、を備え、
前記無線端末装置は、
ブロードキャスト通信によりデータを送信するデータ送信回路、を備え、
前記複数の基地局装置のそれぞれは、
前記無線端末装置が送信したデータを受信するデータ受信回路と、
前記鍵情報に基づいて、前記無線端末装置から受信した前記データを処理の対象とするか否かの判断をする判断回路と、
前記データを処理する処理回路と、
を備えることを特徴とする無線通信システム。
【請求項２】
所定の通信エリア内に配置され、それぞれ独自の通信範囲を有する複数の基地局装置と、
前記複数の基地局装置のそれぞれと通信可能な無線端末装置と、
前記無線端末装置に前記複数の基地局装置と通信する権限を付与する権限付与装置と、
を備える無線通信システムであって、
前記権限付与装置は、
前記所定の通信エリア内において前記複数の基地局装置との通信が許可される無線端末装置を識別する鍵情報を発行する鍵情報発行回路、を備え、
前記無線端末装置は、
ブロードキャスト通信によりデータを送信するデータ送信回路、を備え、
前記複数の基地局装置のそれぞれは、
前記無線端末装置が送信したデータを受信するデータ受信回路と、
前記鍵情報に基づいて、前記無線端末装置から受信した前記データを処理の対象とするか否かの判断をする判断回路と、
前記データを処理する処理回路と、
を備えることを特徴とする無線通信システム。
【請求項３】
前記複数の基地局装置のそれぞれと通信ネットワークを介して接続される管理サーバをさらに有し、
前記複数の基地局装置のそれぞれは、
前記無線端末装置が前記複数の基地局装置各々から受信する信号の受信強度の情報を取得し、前記管理サーバに送信する受信信号強度取得回路と、
前記管理サーバからの指示に基づいて、前記無線端末装置から受信した前記データを前記管理サーバに送信するか否かを決定する制御回路と、
をさらに備え、
前記管理サーバは、
前記複数の基地局装置から受信した前記受信強度の情報に基づいて、前記無線端末装置によって送信された前記データを取得する基地局装置を決定する決定回路と、
前記決定回路による決定に基づいて、前記通信エリア内に配置された前記複数の基地局装置に前記データの送信処理に関する指示を送信する指示送信回路と、
を備え、
前記制御回路は、前記管理サーバから前記データを前記管理サーバに送信する旨の指示を受信した場合には、前記データを前記管理サーバに送信し、前記データを前記管理サーバに送信しない旨の指示を受信した場合には、前記データを廃棄することを特徴とする請求項１又は請求項２に記載の無線通信システム。
【請求項４】
所定の通信エリア内に配置され、独自の通信可能な範囲を有し、無線端末装置と通信可能な基地局装置であって、
前記所定の通信エリア内に配置された複数の基地局装置との通信が許可される無線端末装置を識別する鍵情報を発行する鍵情報発行回路と、
無線端末装置からブロードキャスト通信により送信されたデータを受信するデータ受信回路と、
前記鍵情報に基づいて、前記無線端末装置から受信した前記データを処理の対象とするか否かの判断をする判断回路と、
前記データを処理する処理回路と、
を備えることを特徴とする基地局装置。
【請求項５】
所定の通信エリア内に配置され、独自の通信可能な範囲を有し、無線端末装置と通信可能な基地局装置であって、
無線端末装置からブロードキャスト通信により送信されたデータを受信するデータ受信回路と、
前記所定の通信エリア内に配置された複数の基地局装置との通信が許可される無線端末装置を識別する鍵情報に基づいて、前記無線端末装置から受信した前記データを処理の対象とするか否かの判断をする判断回路と、
前記鍵情報に基づいて、前記無線端末装置から受信した前記データを処理の対象とするか否かの判断をする判断回路と、
を備えることを特徴とする基地局装置。
【請求項６】
前記無線端末装置が前記複数の基地局装置各々から受信する信号の受信強度の情報を取得して前記複数の基地局装置のそれぞれと通信ネットワークを介して接続される管理サーバに送信する受信信号強度取得回路と、
前記管理サーバから、前記受信強度の情報に基づく前記データの送信処理に関する指示を受信する指示受信回路と、
前記管理サーバからの前記指示に基づいて、前記無線端末装置から受信した前記データを前記管理サーバに送信するか否かを決定する制御回路と、
を備え、
前記指示受信回路が受信する、前記データの前記送信処理に関する指示は、前記管理サーバが決定した、前記無線端末装置からの前記データを取得する基地局装置の情報に基づく指示であり、
前記制御回路は、前記管理サーバから前記データを前記管理サーバに送信する旨の指示を受信した場合には、前記データを前記管理サーバに送信し、前記データを前記管理サーバに送信しない旨の指示を受信した場合には、前記データを廃棄することを特徴とする請求項４又は請求項５に記載の基地局装置。
【請求項７】
所定の通信エリア内に配置され、それぞれ独自の通信可能な範囲を有する複数の基地局装置と、
前記複数の基地局装置のそれぞれと通信可能な無線端末装置と、を備える無線通信システムの基地局間移動無線通信方法であって、
前記複数の基地局装置のうちの少なくとも１つが、
前記所定の通信エリア内において前記複数の基地局装置との通信が許可される無線端末装置を識別する鍵情報を発行する鍵情報発行ステップと、
前記無線端末装置が、
ブロードキャスト通信によりデータを送信するデータ送信ステップと、
前記複数の基地局装置のそれぞれが、
前記無線端末装置が送信したデータを受信するデータ受信ステップと、
前記鍵情報に基づいて、前記無線端末装置から受信した前記データを処理の対象とするか否かを判断する判断ステップと、
前記データを処理するデータ処理ステップと、
を備えることを特徴とする基地局間移動無線通信方法。
【請求項８】
前記無線通信システムは、前記複数の基地局装置のそれぞれと通信ネットワークを介して接続される管理サーバをさらに備え、
前記複数の基地局装置のそれぞれが、前記無線端末装置が前記複数の基地局装置各々から受信する信号の受信強度の情報を取得し、前記管理サーバに送信する受信信号強度取得ステップと、
前記管理サーバが、前記複数の基地局装置から受信した前記受信強度の情報に基づいて、前記無線端末装置によって送信された前記データを取得する基地局装置を決定する決定ステップと、
前記管理サーバか、前記決定ステップでの決定に基づいて、前記通信エリア内に配置された前記複数の基地局装置に前記データの送信処理に関する指示を送信する指示送信ステップと、
前記複数の基地局装置のそれぞれが、前記データを前記管理サーバに送信する旨の指示を受信した場合には、前記データを前記管理サーバに送信し、前記データを前記管理サーバに送信しない旨の指示を受信した場合には、前記データを廃棄する制御ステップと、
をさらに備えることを特徴とする請求項７に記載の基地局間移動無線通信方法。
【発明の詳細な説明】
【技術分野】
【０００１】
本発明は、無線通信システム、基地局装置、および基地局装置間移動無線通信方法に関する。
【背景技術】
【０００２】
従来より、通信中の無線端末装置が基地局装置の通信範囲をまたがって移動する場合に、基地局装置を切り替えるハンドオーバ処理が行われている。無線端末装置が通信範囲の中心から離れるにしたがって通信品質が低下するため、ハンドオーバ処理によって現在接続している基地局装置よりも通信品質の良い基地局装置に接続先を切り替えて通信品質を保つ。
【０００３】
例えば、特許文献１には、無線端末装置と基地局装置とが双方向通信を行い、基地局装置の通信範囲が重複する箇所において、基地局装置ごとの識別コードや周波数などの情報を相互に受け渡して、無線通信の切断のないハンドオーバ処理を実現する技術が開示されている。
【０００４】
図１７は、従来のハンドオーバ処理が行われる無線通信システム１００を示す図である（例えば、特許文献１参照。）。基地局装置ＡＰ１の通信範囲ＢＢＳ１に属する無線端末装置ＳＴＡ１ａが、異なる基地局装置ＡＰ２にハンドオーバされる場合において、まず、無線端末装置ＳＴＡ１ａが、基地局装置ＡＰ１と基地局装置ＡＰ２の通信範囲が重複する領域ＯＶＬに移動する。領域ＯＶＬにおいて、基地局装置ＡＰ２は、無線端末装置ＳＴＡ１ａによって送信される基地局装置ＡＰ１宛のデータフレームが受信可能となる。
【０００５】
基地局装置ＡＰ１は、無線端末装置ＳＴＡ１ａの受信信号強度の劣化を検出すると、基地局装置ＡＰ２に対して無線端末装置ＳＴＡ１ａのハンドオーバ要求を行う。基地局装置ＡＰ２は、基地局装置ＡＰ１に対して、無線端末装置ＳＴＡ１ａのハンドオーバの受け入れ情報を含むハンドオーバ応答を通知する。ハンドオーバ手続き中は、無線端末装置ＳＴＡ１ａからのデータの送受信は、ハンドオーバ元の基地局装置ＡＰ１が行う。
【０００６】
次に、基地局装置ＡＰ１は、ハンドオーバ応答を受信すると、基地局装置ＡＰ２に対して、無線端末装置ＳＴＡ１ａのアドレス、識別コードＢＳＳＩＤ、および周波数等の情報を含むハンドオーバ依頼を通知する。その後、基地局装置ＡＰ２は識別コードＢＳＳＩＤを登録し、ハンドオーバ完了を通信回線ＦＩＸを介して基地局装置ＡＰ１に通知する。
【０００７】
このように、従来のハンドオーバ処理を用いた、基地局装置間を移動する無線端末装置の通信制御では、無線端末装置と基地局装置との間で相互に通信を行い、さらに、基地局装置側においても相互に通信を行って周波数や識別コードを指定した上で、無線端末装置の基地局装置の切り替えを行っていた。したがって、基地局装置側での処理が煩雑になる問題があった。
【先行技術文献】
【特許文献】
【０００８】
【特許文献１】特開２００６−２７０６６５号公報
【発明の概要】
【発明が解決しようとする課題】
【０００９】
本発明は、基地局装置間を移動する無線端末装置の通信制御をより簡易に行うことができる基地局装置を提供することを目的とする。
【課題を解決するための手段】
【００１０】
上述した課題を解決するために、本発明に係る無線通信システムは、所定の通信エリア内に配置され、それぞれ独自の通信可能な範囲を有する複数の基地局装置と、前記複数の基地局装置のそれぞれと通信可能な無線端末装置と、を備える無線通信システムであって、前記複数の基地局装置のうちの少なくとも１つは、前記所定の通信エリア内において前記複数の基地局装置との通信が許可される無線端末装置を識別する鍵情報を発行する鍵情報発行回路、を備え、前記無線端末装置は、ブロードキャスト通信によりデータを送信するデータ送信回路、を備え、前記複数の基地局装置のそれぞれは、前記無線端末装置が送信したデータを受信するデータ受信回路と、前記鍵情報に基づいて、前記無線端末装置から受信した前記データを処理の対象とするか否かの判断をする判断回路と、前記データを処理する処理回路と、を備えることを特徴とする。
【００１１】
また、本発明に係る無線通信システムは、所定の通信エリア内に配置され、それぞれ独自の通信範囲を有する複数の基地局装置と、前記複数の基地局装置のそれぞれと通信可能な無線端末装置と、前記無線端末装置に前記複数の基地局装置と通信する権限を付与する権限付与装置と、を備える無線通信システムであって、前記権限付与装置は、前記所定の通信エリア内において前記複数の基地局装置との通信が許可される無線端末装置を識別する鍵情報を発行する鍵情報発行回路、を備え、前記無線端末装置は、ブロードキャスト通信によりデータを送信するデータ送信回路、を備え、前記複数の基地局装置のそれぞれは、前記無線端末装置が送信したデータを受信するデータ受信回路と、前記鍵情報に基づいて、前記無線端末装置から受信した前記データを処理の対象とするか否かの判断をする判断回路と、前記データを処理する処理回路と、を備えることを特徴とする。
【００１２】
また、本発明に係る無線通信システムは、前記複数の基地局装置のそれぞれと通信ネットワークを介して接続される管理サーバをさらに有し、前記複数の基地局装置のそれぞれは、前記無線端末装置が前記複数の基地局装置各々から受信する信号の受信強度の情報を取得し、前記管理サーバに送信する受信信号強度取得回路と、前記管理サーバからの指示に基づいて、前記無線端末装置から受信した前記データを前記管理サーバに送信するか否かを決定する制御回路と、をさらに備え、前記管理サーバは、前記複数の基地局装置から受信した前記受信強度の情報に基づいて、前記無線端末装置によって送信された前記データを取得する基地局装置を決定する決定回路と、前記決定回路による決定に基づいて、前記通信エリア内に配置された前記複数の基地局装置に前記データの送信処理に関する指示を送信する指示送信回路と、を備え、前記制御回路は、前記管理サーバから前記データを前記管理サーバに送信する旨の指示を受信した場合には、前記データを前記管理サーバに送信し、前記データを前記管理サーバに送信しない旨の指示を受信した場合には、前記データを廃棄してもよい。
【００１３】
また、本発明に係る基地局装置は、所定の通信エリア内に配置され、独自の通信可能な範囲を有し、無線端末装置と通信可能な基地局装置であって、前記所定の通信エリア内に配置された複数の基地局装置との通信が許可される無線端末装置を識別する鍵情報を発行する鍵情報発行回路と、無線端末装置からブロードキャスト通信により送信されたデータを受信するデータ受信回路と、前記鍵情報に基づいて、前記無線端末装置から受信した前記データを処理の対象とするか否かの判断をする判断回路と、前記データを処理する処理回路と、を備えることを特徴とする。
【００１４】
また、本発明に係る基地局装置は、所定の通信エリア内に配置され、独自の通信可能な範囲を有し、無線端末装置と通信可能な基地局装置であって、無線端末装置からブロードキャスト通信により送信されたデータを受信するデータ受信回路と、前記所定の通信エリア内に配置された複数の基地局装置との通信が許可される無線端末装置を識別する鍵情報に基づいて、前記無線端末装置から受信した前記データを処理の対象とするか否かの判断をする判断回路と、前記鍵情報に基づいて、前記無線端末装置から受信した前記データを処理の対象とするか否かの判断をする判断回路と、を備えていてもよい。
【００１５】
また、本発明に係る基地局装置は、前記無線端末装置が前記複数の基地局装置各々から受信する信号の受信強度の情報を取得して前記複数の基地局装置のそれぞれと通信ネットワークを介して接続される管理サーバに送信する受信信号強度取得回路と、前記管理サーバから、前記受信強度の情報に基づく前記データの送信処理に関する指示を受信する指示受信回路と、前記管理サーバからの前記指示に基づいて、前記無線端末装置から受信した前記データを前記管理サーバに送信するか否かを決定する制御回路と、を備え、前記指示受信回路が受信する、前記データの前記送信処理に関する指示は、前記管理サーバが決定した、前記無線端末装置からの前記データを取得する基地局装置の情報に基づく指示であり、前記制御回路は、前記管理サーバから前記データを前記管理サーバに送信する旨の指示を受信した場合には、前記データを前記管理サーバに送信し、前記データを前記管理サーバに送信しない旨の指示を受信した場合には、前記データを廃棄してもよい。
【００１６】
また、本発明に係る基地局装置間移動無線通信方法は、所定の通信エリア内に配置され、それぞれ独自の通信可能な範囲を有する複数の基地局装置と、前記複数の基地局装置のそれぞれと通信可能な無線端末装置と、を備える無線通信システムの基地局間移動無線通信方法であって、前記複数の基地局装置のうちの少なくとも１つが、前記所定の通信エリア内において前記複数の基地局装置との通信が許可される無線端末装置を識別する鍵情報を発行する鍵情報発行ステップと、前記無線端末装置が、ブロードキャスト通信によりデータを送信するデータ送信ステップと、前記複数の基地局装置のそれぞれが、前記無線端末装置が送信したデータを受信するデータ受信ステップと、前記鍵情報に基づいて、前記無線端末装置から受信した前記データを処理の対象とするか否かを判断する判断ステップと、前記データを処理するデータ処理ステップと、を備えることを特徴とする。
【００１７】
また、本発明に係る基地局装置間移動無線通信方法は、前記無線通信システムは、前記複数の基地局装置のそれぞれと通信ネットワークを介して接続される管理サーバをさらに備え、前記複数の基地局装置のそれぞれが、前記無線端末装置が前記複数の基地局装置各々から受信する信号の受信強度の情報を取得し、前記管理サーバに送信する受信信号強度取得ステップと、前記管理サーバが、前記複数の基地局装置から受信した前記受信強度の情報に基づいて、前記無線端末装置によって送信された前記データを取得する基地局装置を決定する決定ステップと、前記管理サーバか、前記決定ステップでの決定に基づいて、前記通信エリア内に配置された前記複数の基地局装置に前記データの送信処理に関する指示を送信する指示送信ステップと、前記複数の基地局装置のそれぞれが、前記データを前記管理サーバに送信する旨の指示を受信した場合には、前記データを前記管理サーバに送信し、前記データを前記管理サーバに送信しない旨の指示を受信した場合には、前記データを廃棄する制御ステップと、を備えていてもよい。
【発明の効果】
【００１８】
本発明によれば、所定の通信エリア内に配置された複数の基地局装置との通信が許可される無線端末装置を識別する鍵情報に基づいて、無線端末装置からブロードキャスト通信により送信されたデータを処理の対象とするか否かの判断をする。したがって、基地局装置において、基地局装置独自の通信範囲をまたがって移動する無線端末装置の通信制御をより簡易に行うことができる。
【図面の簡単な説明】
【００１９】
【図１】図１は、本発明の第１の実施の形態に係る無線通信システムの概略を示す図である。
【図２】図２は、本発明の第１の実施の形態に係る無線通信システムの構成図である。
【図３】図３は、本発明の第１の実施の形態に係る無線端末装置の構成例を示すブロック図である。
【図４】図４は、本発明の第１の実施の形態に係る基地局装置の構成例を示すブロック図である。
【図５】図５は、本発明の第１の実施の形態に係る無線通信システムにおける動作を説明するシーケンス図である。
【図６】図６は、本発明の第１の実施の形態に係る鍵情報管理装置が管理する鍵情報管理テーブルを示す図である。
【図７】図７は、本発明の第１の実施の形態に係る無線端末装置の変形例を示すブロック図である。
【図８】図８は、本発明の第２の実施の形態に係る無線通信システムの構成図である。
【図９】図９は、本発明の第２の実施の形態に係る無線通信システムにおける動作を説明するシーケンス図である。
【図１０】図１０は、本発明の第３の実施の形態に係る無線通信システムの構成図である。
【図１１】図１１は、本発明の第３の実施の形態に係る権限付与装置の構成例を示すブロック図である。
【図１２】図１２は、本発明の第３の実施の形態に係る無線通信システムにおける動作を説明するシーケンス図である。
【図１３】図１３は、本発明の第４の実施の形態に係る無線通信システムの構成図である。
【図１４】図１４は、本発明の第４の実施の形態に係る無線通信システムの変形例を示す構成図である。
【図１５】図１５は、本発明の第５の実施の形態に係る無線通信システムの概略を示す図である。
【図１６】図１６は、本発明の実施の形態に係る管理サーバを実現するコンピュータの構成例を示すブロック図である。
【図１７】図１７は、従来のハンドオーバ処理を説明するための無線通信システムの概略図である。
【発明を実施するための形態】
【００２０】
以下、本発明の好適な実施の形態について、図１から図１６を参照して詳細に説明する。各図について共通する構成要素には、同一の符号が付されている。
【００２１】
また、以下において、基地局装置ＡＰ１ａ〜ＡＰ３ａを総称して基地局装置ＡＰａ、基地局装置ＡＰ１ｂ〜ＡＰ３ｂを基地局装置ＡＰｂということがある。さらに、基地局装置ＡＰａ、ＡＰｂを総称して基地局装置ＡＰということがある。同様に、無線端末装置ＭＮ１〜ＭＮ３を総称して無線端末装置ＭＮということがある。
【００２２】
＜第１の実施の形態＞
本発明の第１の実施の形態に係る無線通信システム１は、通信エリアＡに配置された複数の基地局装置ＡＰ１ａ〜ＡＰ３ａと、基地局装置ＡＰ１ａ〜ＡＰ３ａ各々と通信可能な無線端末装置ＭＮ１と、を有する。基地局装置ＡＰ１ａ〜ＡＰ３ａのそれぞれは、無線端末装置ＭＮ１が送信したデータを受信するデータ受信回路と、このデータを処理する処理回路とを有する。ここで、「処理」とは、基地局装置ＡＰ内で、データを加工することや、他の装置にデータを送信することも含む。本実施の形態において、基地局装置ＡＰ１ａ〜ＡＰ３ａのうち、基地局装置ＡＰ１ａは、無線端末装置ＭＮ１との通信リンクを確立するときに、通信エリアＡ内において複数の基地局装置ＡＰ１ａ〜ＡＰ３ａとの通信が許可される無線端末装置ＭＮ１を識別する鍵情報ＫＡ１を発行する鍵情報発行回路を有する。無線端末装置ＭＮ１は、ブロードキャスト通信によりデータを送信するデータ送信回路を有する。また、各基地局装置ＡＰ１ａ〜ＡＰ３ａは、鍵情報ＫＡ１に基づいて、無線端末装置ＭＮ１から受信したデータを処理の対象とするか否かの判断をする判断回路を有する。
【００２３】
図１は、本発明の第１の実施の形態に係る無線通信システム１の概略を示す図である。無線通信システム１は、無線端末装置ＭＮ１〜ＭＮ３と、無線端末装置ＭＮ１〜ＭＮ３と通信可能な基地局装置ＡＰ１ａ〜ＡＰ３ａ、ＡＰ１ｂ〜ＡＰ３ｂとを備える。基地局装置ＡＰ１ａ〜ＡＰ３ａ、ＡＰ１ｂ〜ＡＰ３ｂは、それぞれがカバーする通信範囲を有し、その通信範囲に存在する無線端末装置ＭＮと通信することが可能である。
【００２４】
また、基地局装置ＡＰ１ａ〜ＡＰ３ａ各々が有する通信範囲の一部は、それぞれ重なり合っている。例えば、無線端末装置ＭＮ１が、基地局装置ＡＰ１ａ〜ＡＰ３ａの通信範囲が重複する箇所に移動した場合には、無線端末装置ＭＮ１は、いずれの基地局装置ＡＰ１ａ〜ＡＰ３ａとも通信可能となる。
【００２５】
本実施の形態では、基地局装置ＡＰ１ａ〜ＡＰ３ａを包含するエリアを、予め通信エリアＡと呼ぶ。同様に、基地局装置ＡＰ１ｂ〜ＡＰ３ｂを包含するエリアを、予め通信エリアＢと呼ぶ。なお、これらの複数の基地局装置ＡＰを含む通信エリアは互いに重複していてもよい。
【００２６】
図２は、第１の実施の形態に係る無線通信システム１の構成図である。通信エリアＡに属する基地局装置ＡＰ１ａ〜ＡＰ３ａ、および通信エリアＢに属する基地局装置ＡＰ１ｂ〜ＡＰ３ｂは、それぞれインターネット等の通信ネットワークＮＷを介して管理サーバ２と通信可能に接続されている。
【００２７】
管理サーバ２は、鍵情報管理装置２１と、データ処理装置２２とを備える。管理サーバ２は、基地局装置ＡＰを介して、無線端末装置ＭＮからデータを受信する。
【００２８】
鍵情報管理装置２１は、後述するように、基地局装置ＡＰが無線端末装置ＭＮを対象に発行した鍵情報を管理する装置である。鍵情報管理装置２１は、通信ネットワークＮＷを介して接続されているすべての通信エリアにおいて発行された鍵情報を、無線端末装置ＭＮを識別する識別情報と関連付けて管理する。具体的には、鍵情報管理装置２１は、後述する鍵情報管理テーブル３を格納する記憶部を有する。鍵情報管理装置２１は、基地局装置ＡＰにより後述する鍵情報が発行されるたびに、鍵情報管理テーブル３の情報を更新する。
【００２９】
データ処理装置２２は、基地局装置ＡＰを介して無線端末装置ＭＮから受信したデータの処理や記憶を行う。
【００３０】
次に、本実施の形態における無線通信システム１を構成する、無線端末装置ＭＮと、基地局装置ＡＰの構成を説明する。図３は、本発明の第１の実施の形態に係る無線端末装置ＭＮの構成例を示すブロック図である。また、図４は、本発明の第１の実施の形態に係る基地局装置ＡＰの構成例を示すブロック図である。
【００３１】
無線端末装置ＭＮは、図３に示すように、制御回路１１０と、記憶装置１２０と、無線通信回路１３０と、センサ１４０とを備える。制御回路１１０は、基地局装置ＡＰに送信するデータの処理や無線通信の制御を行う。無線通信回路１３０は、データをブロードキャスト通信により送信する伝送回路として機能する。また、センサ１４０は、ＲＳＳＩ（受信信号強度）値等の受信感度の測定などを行うことができる。センサ１４０は、バイタルデータなどを検出して電気信号に変換してもよい。センサ１４０により検出される情報は、データの一部として、無線通信回路１３０から基地局装置ＡＰにブロードキャスト通信により送信することができる。
【００３２】
基地局装置ＡＰは、図４に示すように、制御回路２１０と、記憶装置２２０と、無線通信回路２３０と、有線通信回路２４０とを備える。制御回路２１０は、無線端末装置ＭＮや管理サーバ２との通信の制御や、鍵情報の生成、無線端末装置ＭＮから受信したデータの処理などを行う。記憶装置２２０は、鍵情報ＤＢ２２１を有し、生成した鍵情報を記憶したり、管理サーバ２から受信した鍵情報を記憶する。また、鍵情報ＤＢ２２１は、基地局装置ＡＰが属する通信エリア固有の識別情報を記憶する。無線通信回路２３０は、無線インターフェースとして機能し、無線端末装置ＭＮからのデータを管理サーバ２に送信する。また、有線通信回路２４０は、有線インターフェースとして機能し、管理サーバ２等と通信を行う。
【００３３】
次に、本実施の形態に係る無線通信システム１において、無線端末装置ＭＮ１が通信エリアＡ内を移動する場合の通信制御について説明する。図３は、無線通信システム１における動作を説明するシーケンス図である。また、図４は、鍵情報管理装置２１が管理する鍵情報管理テーブル３を示す図である。
【００３４】
＜鍵情報の発行と登録＞
まず、無線端末装置ＭＮ１は、通信エリアＡの外から通信エリアＡの内部に入り、基地局装置ＡＰ１ａの通信範囲に移動すると、基地局装置ＡＰ１ａとの間で無線通信の初期設定や通信ネゴシエーションを行い、基地局装置ＡＰ１ａとの通信リンクを確立する（ステップＳ１０１）。
【００３５】
無線端末装置ＭＮ１と基地局装置ＡＰ１ａとの通信リンクが確立すると、基地局装置ＡＰ１ａは、鍵情報ＫＡ１を生成する（ステップＳ１０２）。鍵情報ＫＡ１には、通信エリアＡ固有の識別情報が含まれる。また、鍵情報ＫＡ１は、通信エリアＡを特定する情報を含んでいる。
【００３６】
本実施の形態では、この鍵情報ＫＡ１と無線端末装置ＭＮ１を識別する識別情報とを関連付けて管理サーバ２の鍵情報管理装置２１に登録することによって、無線端末装置ＭＮ１が通信エリアＡ内のいずれの基地局装置ＡＰａとも通信を行う許可が与えられている端末であることを、基地局装置ＡＰａや管理サーバ２などが識別できる。鍵情報は、通信リンクが確立する度に新しく生成（発行）される。
【００３７】
なお、無線端末装置ＭＮ１が、例えば、通信エリアＡから通信エリアＢに移動した場合には、通信エリアＢに属する基地局装置ＡＰｂとの間で新たに通信リンクを確立して、通信エリアＢでの鍵情報が発行される。
【００３８】
次に、基地局装置ＡＰ１ａは、生成した鍵情報ＫＡ１を鍵情報管理装置２１に送信する（ステップＳ１０３）。より詳細には、基地局装置ＡＰ１ａは、鍵情報ＫＡ１と、通信エリアＡ内での通信が許可される無線端末装置ＭＮ１を示す識別情報とを鍵情報管理装置２１に送信する。鍵情報管理装置２１は、図６に示すように、鍵情報ＫＡ１と無線端末装置ＭＮ１の識別情報とを関連付けて、鍵情報管理テーブル３に登録する（ステップＳ１０４）。
【００３９】
鍵情報ＫＡ１と無線端末装置ＭＮ１の識別情報との登録が完了すると、基地局装置ＡＰ１ａは、通信許可情報を無線端末装置ＭＮ１に送信する（ステップＳ１０５）。この通信許可情報は、無線端末装置ＭＮ１が通信エリアＡ内の基地局装置ＡＰ１ａ〜ＡＰ３ａとの通信が許可されたことを、無線端末装置ＭＮ１に通知するものである。
【００４０】
通信許可情報を受信した無線端末装置ＭＮ１は、その後に、通信エリアＡ内で各基地局装置ＡＰ１ａ〜ＡＰ３ａの通信範囲をまたがって移動した場合であっても、基地局装置ＡＰ１ａ〜ＡＰ３ａのいずれとも双方向通信による認証を行うことなく通信することができるようになる。
【００４１】
＜無線端末装置によるデータ送信＞
通信許可情報を受信した無線端末装置ＭＮ１は、ブロードキャスト通信を行い、センサ１４０などで検出したバイタルデータなどに自装置の識別情報を付したデータを送信する（ステップＳ１０６）。
【００４２】
＜基地局装置におけるデータの受信と処理＞
無線端末装置ＭＮ１がブロードキャスト通信により送信したデータは、宛先が不特定多数であるため、通信エリアＡ内の基地局装置ＡＰ１ａ〜ＡＰ３ａだけでなく、異なる通信エリアＢの基地局装置ＡＰ１ｂ〜ＡＰ３ｂでも受信は可能である。しかし、後述するように、通信エリアＡ内のみでの通信が許可されている無線端末装置ＭＮ１からのデータは、異なる通信エリアＢの基地局装置ＡＰ１ｂ〜ＡＰ３ｂによる処理の対象とはならない。
【００４３】
一方、通信エリアＡ内では、無線端末装置ＭＮ１が、基地局装置ＡＰ１ａ〜ＡＰ３ａのいずれの通信範囲にあるかにかかわらず、無線端末装置ＭＮ１からのデータは基地局装置ＡＰ１ａ〜ＡＰ３ａのいずれかによる処理の対象となる。
【００４４】
まず、無線端末装置ＭＮ１からのデータを受信した基地局装置ＡＰ１ａは、通信ネットワークＮＷを介して鍵情報管理装置２１から、鍵情報ＫＡ１を取得する（ステップＳ１０７）。より詳細には、基地局装置ＡＰ１ａは、受信データに含まれる無線端末装置ＭＮ１の識別情報に基づいて、鍵情報管理装置２１の鍵情報管理テーブル３を参照し、無線端末装置ＭＮ１を示す情報と関連付けられた鍵情報ＫＡ１を取得する。
【００４５】
次に、基地局装置ＡＰ１ａは、取得した鍵情報ＫＡ１に基づいて、受信したデータの送信元である無線端末装置ＭＮ１が、通信エリアＡ内に配置された基地局装置ＡＰ１ａ〜ＡＰ３ａとの通信が許可された無線端末装置であるか否か、即ち、受信データが基地局装置ＡＰ１ａによる対象のデータであるか否かを判断する（ステップＳ１０８）。より詳細には、基地局装置ＡＰ１ａは、鍵情報ＤＢ２２１に記憶している自局装置の通信エリア固有の識別情報を読み出して、ステップＳ１０７で取得した鍵情報ＫＡ１に含まれる通信エリア固有の識別情報と一致するかの判定を行う。
【００４６】
鍵情報ＫＡ１に含まれる通信エリアＡ固有の識別情報と、鍵情報ＤＢ２２１から読み出した自局装置の通信エリアの識別情報は一致するため、基地局装置ＡＰ１ａは、無線端末装置ＭＮ１が通信エリアＡでの通信が許可されている端末であると判断し（ステップＳ１０８；ＹＥＳ）、基地局装置ＡＰ１ａによる処理として、無線端末装置ＭＮ１から受信したデータをデータ処理装置２２に送信する（ステップＳ１０９）。
【００４７】
無線端末装置ＭＮ１がブロードキャスト通信により送信したデータが、通信エリアＡ内に配置された基地局装置ＡＰ２ａ、ＡＰ３ａ、および異なる通信エリアＢに配置された基地局装置ＡＰ１ｂによっても受信された場合、それぞれ無線端末装置ＭＮ１受信したデータに含まれる無線端末装置ＭＮ１の識別情報に基づいて、鍵情報管理装置２１の鍵情報管理テーブル３を参照する。そして、基地局装置ＡＰ２ａ、ＡＰ３ａ、ＡＰ１ｂは、無線端末装置ＭＮ１の識別情報と一致する情報である、無線端末装置ＭＮ１を示す情報と関連付けられた鍵情報ＫＡ１を取得する（ステップＳ１１０、ステップＳ１１３、ステップＳ１１６）。
【００４８】
通信エリアＡ内に配置された基地局装置ＡＰ２ａ、ＡＰ３ａは、基地局装置ＡＰ１ａの場合と同様に、鍵情報ＫＡ１に基づいて無線端末装置ＭＮ１から受信したデータが、データ処理装置２２へ送信するデータであると判断し（ステップＳ１１１；ＹＥＳ、ステップＳ１１４；ＹＥＳ）、受信データを、通信ネットワークＮＷを介してデータ処理装置２２にそれぞれ送信する（ステップＳ１１２、Ｓ１１５）。
【００４９】
したがって、通信エリアＡ内においては、鍵情報ＫＡ１に基づいて基地局装置ＡＰ１ａ〜ＡＰ３ａの少なくともいずれかによって、受信データが処理されることになる。よって、無線端末装置ＭＮ１がこれらの基地局装置ＡＰ１ａ〜ＡＰ３ａの通信可能な範囲をまたがって移動しても、ハンドオーバの処理は必要とならない。
【００５０】
一方、通信エリアＡとは異なる通信エリアＢに配置されている基地局装置ＡＰ１ｂは、鍵情報ＫＡ１に含まれる通信エリアＡを示す識別情報が、基地局装置ＡＰ１ｂが鍵情報ＤＢ２２１から読み出した自局装置が属する通信エリアＢの識別情報と一致しないため、受信データはデータ処理装置２２への送信対象ではないと判断し（ステップＳ１１７；ＮＯ）、受信データを廃棄する（ステップＳ１１８）。
【００５１】
以上説明したように、第１の実施の形態によれば、無線端末装置ＭＮ１が通信エリアＡにおいて基地局装置ＡＰ１ａと通信リンクを確立して通信を開始する場合に、その基地局装置ＡＰ１ａが、通信エリアＡに配置された基地局装置ＡＰ１ａ〜ＡＰ３ａのうちのいずれとも通信を許可する無線端末装置ＭＮ１であることを識別する鍵情報ＫＡ１を発行する。そして、通信エリアＡ内での通信が許可された無線端末装置ＭＮ１は、ブロードキャスト通信により片方向のデータ送信を行う。
【００５２】
これにより、無線端末装置ＭＮ１が通信エリアＡ内で各基地局装置ＡＰ１ａ〜ＡＰ３ａの通信範囲をまたがって移動した場合であっても、通信エリアＡ内の基地局装置ＡＰａとは双方向通信による再度の認証を行うことなく通信することができる。したがって、通信エリアＡ内を移動する無線端末装置ＭＮの通信をより簡易に制御することができ、基地局装置ＡＰや無線端末装置ＭＮの構成をより簡略化することが可能となる。
【００５３】
本実施の形態では、基地局装置ＡＰ１ａによる鍵情報ＫＡ１の生成（ステップＳ１０２）は、無線端末装置ＭＮ１と基地局装置ＡＰ１ａとの通信リンク確立後に行う場合について説明した。しかし、鍵情報ＫＡ１の生成は、ステップＳ１０１での無線端末装置ＭＮ１と基地局装置ＡＰ１ａとの通信リンクの確立と同時に行ってもよい。
【００５４】
また、本実施の形態では、基地局装置ＡＰ１ａが鍵情報ＫＡ１を生成する場合について説明したが、鍵情報ＫＡ１については、予めデータベース等の記憶部に用意された鍵情報の中から選択する構成を採用してもよい。
【００５５】
また、本実施の形態では、無線端末装置ＭＮ１からブロードキャスト通信によってデータを受信した基地局装置ＡＰ１ａ〜ＡＰ３ａが、それぞれ鍵情報管理テーブル３を参照して鍵情報ＫＡ１を取得する場合について説明した。しかし、鍵情報の取得はこれに限られない。例えば、鍵情報管理テーブル３に鍵情報が登録されると、鍵情報管理装置２１が、通信エリアＡ内に配置された基地局装置ＡＰ１ａ〜ＡＰ３ａのすべてに鍵情報を送信する構成を採用してもよい。
【００５６】
この場合においては、各基地局装置ＡＰ１ａ〜ＡＰ３ａ、ＡＰ１ｂが、鍵情報管理装置２１から鍵情報を取得する処理（ステップＳ１０７、ステップＳ１１０、ステップＳ１１３、ステップＳ１１６）を省略する。
【００５７】
また、本実施の形態では、鍵情報管理テーブル３に登録された鍵情報ＫＡ１と、各基地局装置ＡＰ１ａ〜ＡＰ３ａ、ＡＰ１ｂがそれぞれ鍵情報ＤＢ２２１から読み出した、自局装置の属する通信エリアの識別情報とに基づいて、受信データがデータ処理装置２２への送信対象であるか否かについて判断する場合について説明した。しかし、通信許可情報を受信した無線端末装置ＭＮ１は、通信が許可された通信エリアＡ固有の識別情報をデータに加えて、ブロードキャスト通信によりデータ送信する構成を採用してもよい。
【００５８】
この場合、基地局装置ＡＰ１ａ〜ＡＰ３ａ、ＡＰ１ｂは自局装置が属する通信エリアの識別情報が含まれるデータのみを、データ処理装置２２に送信することが可能となる。したがって、鍵情報管理装置２１には鍵情報管理テーブル３を設けなくてもよいため、管理サーバ２の構成をより簡略化することが可能となる。
【００５９】
また、本実施の形態では、通信リンクが確立すると、基地局装置ＡＰ１ａが無線端末装置ＭＮ１に通信エリアＡ内での通信許可情報を送信する場合について説明した。しかし、基地局装置ＡＰ１ａは、通信許可情報の代わりに、鍵情報ＫＡ１を無線端末装置ＭＮ１に送信する構成を採用してもよい。この場合、図７に示すように、無線端末装置ＭＮ１は、受信した鍵情報ＫＡ１を、鍵情報ＤＢ１２１に保存する。また、この場合において、無線端末装置ＭＮ１は、データとともに鍵情報ＫＡ１を送信してもよい。
【００６０】
＜第２の実施の形態＞
次に、本発明の第２の実施の形態について説明する。図８は、本発明の第２の実施の形態に係る無線通信システム１ａの構成図である。また、図９は、無線通信システム１ａにおける動作を説明するシーケンス図である。なお、以下の説明では、上述した第１の実施の形態と同じ構成については同一の符号を付し、その説明を省略する。
【００６１】
第１の実施の形態では、通信エリアＡ内に配置された基地局装置ＡＰ１ａ〜ＡＰ３ａのうちのいずれとも通信を許可する通信許可情報を受信した無線端末装置ＭＮ１が、ブロードキャスト通信によりデータを送信する場合について説明した。これに対し、第２の実施の形態では、管理サーバ２が、ＲＳＳＩ情報処理装置２３をさらに備え、ＲＳＳＩ情報処理装置２３において、無線端末装置ＭＮ１からのデータを取得する基地局装置ＡＰａをいずれか一つに決める。
【００６２】
図８に示すように、無線端末装置ＭＮ１は、基地局装置ＡＰ１ａ〜ＡＰ３ａそれぞれのＲＳＳＩ値等の受信感度の情報を、ブロードキャスト通信により基地局装置ＡＰ１ａ〜ＡＰ３ａに送信する。ＲＳＳＩ情報処理装置２３は、通信ネットワークＮＷを介して基地局装置ＡＰ１ａ〜ＡＰ３ａのＲＳＳＩ値を取得して比較を行う。また、ＲＳＳＩ情報処理装置２３は、ＲＳＳＩ値の比較結果に基づいて、無線端末装置ＭＮ１からのデータを取得する基地局装置ＡＰａを決定する。さらに、ＲＳＳＩ情報処理装置２３は、各基地局装置ＡＰ１ａ〜ＡＰ３ａに対して、データの送信処理に関する指示（送信または廃棄）を送信する。
【００６３】
次に、本実施の形態に係る無線通信システム１ａの動作をより詳細に説明する。図９に示すように、無線端末装置ＭＮ１は、基地局装置ＡＰ１ａとの通信リンクを確立し（ステップＳ２０１）、基地局装置ＡＰ１ａから通信許可情報を受信する（ステップＳ２０２）。
【００６４】
続いて、無線端末装置ＭＮ１は、通信エリアＡ内に配置された基地局装置ＡＰ１ａ〜ＡＰ３ａ各々からビーコンの信号を受信する（ステップＳ２０３〜Ｓ２０５）。そして、無線端末装置ＭＮ１は、受信したビーコンの信号各々についてのＲＳＳＩ値を測定する。
【００６５】
次に、無線端末装置ＭＮ１は、各基地局装置ＡＰ１ａ〜ＡＰ３ａのＲＳＳＩ値の情報をブロードキャスト通信によって、基地局装置ＡＰ１ａ〜ＡＰ３ａに対して送信する（ステップＳ２０６）。なお、無線端末装置ＭＮ１は、ＲＳＳＩ値の情報をデータに加えて基地局装置ＡＰ１ａ〜ＡＰ３ａに送信してもよい。
【００６６】
ＲＳＳＩ情報処理装置２３は、無線端末装置ＭＮ１からＲＳＳＩ値の情報を取得すると、各基地局装置ＡＰ１ａ〜ＡＰ３ａのＲＳＳＩ値を比較する（ステップＳ２０７）。本実施の形態では、基地局装置ＡＰ１ａのＲＳＳＩ値が最も高く、基地局装置ＡＰ２ａのＲＳＳＩ値がその次に高く、基地局装置ＡＰ３ａのＲＳＳＩ値が最も低い比較結果（ＡＰ１ａ＞ＡＰ２ａ＞ＡＰ３ａ）である場合について説明する。
【００６７】
ＲＳＳＩ情報処理装置２３は、ステップＳ２０７での比較結果に基づいて、ＲＳＳＩ値が最も高い基地局装置ＡＰ１ａから優先的に、無線端末装置ＭＮ１からのデータを取得する旨の決定を行う。
【００６８】
さらに、ＲＳＳＩ情報処理装置２３は、上記の決定に基づいて、基地局装置ＡＰ１ａに対しては、データの送信指示を送信する（ステップＳ２０８）。また、ＲＳＳＩ情報処理装置２３は、基地局装置ＡＰ２ａ、ＡＰ３ａに対しては、無線端末装置ＭＮ１からのデータを廃棄する旨の指示を送信する（ステップＳ２０９、Ｓ２１０）。
【００６９】
次に、無線端末装置ＭＮ１は、ブロードキャスト通信により、基地局装置ＡＰ１ａ〜ＡＰ３ａに対して片方向のデータ送信を行う（ステップＳ２１１）。基地局装置ＡＰ１ａは、ステップＳ２０８で受信したデータ送信指示に基づいて、無線端末装置ＭＮ１からのデータを、データ処理装置２２に送信する。
【００７０】
基地局装置ＡＰ２ａ、ＡＰ３ａは、ステップＳ２０９およびステップＳ２１０でそれぞれ受信したデータ廃棄の指示に基づいて、無線端末装置ＭＮ１からのデータを廃棄する（ステップＳ２１２、Ｓ２１３）。
【００７１】
また、無線端末装置ＭＮ１は、ＲＳＳＩ値の情報を継続してＲＳＳＩ情報処理装置２３に送信することができる。これにより、ＲＳＳＩ情報処理装置２３は、無線端末装置ＭＮ１による通信エリアＡ内での移動などに伴い変化するＲＳＳＩ値に応じて、常にＲＳＳＩ値が最も高い基地局装置ＡＰａから優先的にデータを取得することが可能となる。
【００７２】
以上説明したように、第２の実施の形態によれば、ＲＳＳＩ情報処理装置２３が、通信エリアＡ内に配置された基地局装置ＡＰ１ａ〜ＡＰ３ａのうち、ＲＳＳＩ値が最も高い基地局装置ＡＰ１ａからのデータを優先的に取得する。さらに、ＲＳＳＩ情報処理装置２３は、ＲＳＳＩ値が低い基地局装置ＡＰ２ａ、ＡＰ３ａからのデータを基地局装置ＡＰ２ａ、ＡＰ３ａにて廃棄させる。
【００７３】
これにより、通信エリアＡ内のすべての基地局装置ＡＰ１ａ〜ＡＰ３ａが、無線端末装置ＭＮ１からのデータを受信し得る場合であっても、管理サーバ２までの通信トラフィック量を抑制することが可能となる。
【００７４】
本実施の形態では、ＲＳＳＩ値が最も高い基地局装置ＡＰ１ａから、無線端末装置ＭＮ１により送信されたデータを受信する場合について説明した。しかし、例えば、基地局装置ＡＰ１ａ、ＡＰ２ａ間でＲＳＳＩ値が同等（ＡＰ１ａ≒ＡＰ２ａ＞ＡＰ３ａ）であるような場合には、現在使用している基地局装置ＡＰ１ａから継続してデータを取得する構成を採用してもよい。
【００７５】
＜第３の実施の形態＞
次に、本発明の第３の実施の形態について説明する。図１０は、本発明の第３の実施の形態に係る無線通信システム１ｂの構成図である。図１１は、本実施の形態に係る権限付与装置４の構成例を示すブロック図である。また、図１２は、無線通信システム１ｂにおける動作を説明するシーケンス図である。なお、以下の説明では、上述した第１および第２の実施の形態と同じ構成については同一の符号を付し、その説明を省略する。
【００７６】
第１および第２の実施の形態では、基地局装置ＡＰ１ａが、通信エリアＡ内に配置された基地局装置ＡＰ１ａ〜ＡＰ３ａのうちのいずれとも通信を許可する無線端末装置ＭＮ１であることを識別する鍵情報ＫＡ１を生成し、無線端末装置ＭＮ１に通信許可情報を送信する場合について説明した。これに対し、第３の実施の形態では、基地局装置ＡＰ１ａの代わりに、無線端末装置ＭＮ１と通信可能な権限付与装置４が、鍵情報ＫＡ１を発行する。
【００７７】
また、本実施の形態において、権限付与装置４は通信エリアＡ外に配置されている。無線端末装置ＭＮ１は、権限付与装置４が配置されているゲート（図示しない）などの箇所を通過して、権限付与装置４から通信許可情報を受信する。その後、無線端末装置ＭＮ１は、通信エリアＡに入り、通信エリアＡ内を移動しながら通信を行う。権限付与装置４は、通信エリアＡについての鍵情報だけでなく、他の通信エリアＢでの通信を許可する鍵情報も生成し、無線端末装置ＭＮ１に通信許可情報を送信することができる。
【００７８】
次に、本実施の形態における権限付与装置４の構成について説明する。図１１に示すように、権限付与装置４は、上述した基地局装置ＡＰと同じ構成を有する。具体的には、権限付与装置４は、制御回路４１０と、記憶装置４２０と、無線通信回路４３０と、有線通信回路４４０とを備える。また、記憶装置４２０は、鍵情報ＤＢ４２１を有する。制御回路４１０は、鍵情報の生成や送信に関する処理を行なう。また、制御回路４１０は、無線端末装置ＭＮとの通信リンクを確立するための処理を行うことができる。
【００７９】
次に、本実施の形態に係る無線通信システム１ｂにおける動作を説明する。図１２に示すように、まず、無線端末装置ＭＮ１は、権限付与装置４に対して、通信エリアＡでの通信を許可する通信許可情報を要求する（ステップＳ３０１）。このとき、無線端末装置ＭＮ１は、権限付与装置４に対して、例えば、通信エリアＡに属する基地局装置ＡＰ１ａとの無線通信のリンク確立要求を送信して、基地局装置ＡＰ１ａとの通信リンクを確立することができる。
【００８０】
その後、権限付与装置４は、通信エリアＡ内での通信を許可された無線端末装置ＭＮ１であることを識別する鍵情報ＫＡ１を生成する（ステップＳ３０２）。そして、権限付与装置４は、通信ネットワークＮＷを介して、鍵情報ＫＡ１を鍵情報管理装置２１に送信する（ステップＳ３０３）。
【００８１】
鍵情報ＫＡ１を受信した鍵情報管理装置２１は、鍵情報ＫＡ１と無線端末装置ＭＮ１を示す情報を関連付けて、鍵情報管理テーブル３に登録する（ステップＳ３０４）。その後、無線端末装置ＭＮ１は通信エリアＡ内に入り、ブロードキャスト通信により片方向のデータ送信を行う（ステップＳ３０６）。
【００８２】
次に、無線端末装置ＭＮ１からデータを受信した基地局装置ＡＰ１ａ〜ＡＰ３ａは、それぞれ鍵情報管理装置２１から鍵情報ＫＡ１を取得する（ステップＳ３０７、Ｓ３１０、Ｓ３１５）。さらに、基地局装置ＡＰ１ａ〜ＡＰ３ａは、受信データがデータ処理装置２２への送信対象のデータであると判断し（ステップＳ３０８；ＹＥＳ、ステップＳ３１１；ＹＥＳ、ステップＳ３１４；ＹＥＳ）、受信データをデータ処理装置２２に送信する（ステップＳ３０９、Ｓ３１２、Ｓ３１５）。
【００８３】
以上説明したように、第３の実施の形態によれば、権限付与装置４が鍵情報ＫＡ１を生成し、無線端末装置ＭＮ１に通信許可情報を送信するため、基地局装置ＡＰは、無線端末装置ＭＮからのデータを受信する機能を有すればよいこととなる。したがって、基地局装置ＡＰの構成をより簡略化することができ、製造コストの低減を図ることが可能となる。
【００８４】
＜第４の実施の形態＞
次に、本発明の第４の実施の形態について説明する。図１３は、本発明の第４の実施の形態に係る無線通信システム１ｃの構成図である。また、図１４は、無線通信システム１ｃの変形例を示す構成図である。なお、以下の説明では、上述した第１から第３の実施の形態と同じ構成については同一の符号を付し、その説明を省略する。
【００８５】
第４の実施の形態では、通信エリアＡ内に配置された基地局装置ＡＰ１ａ〜ＡＰ３ａの時刻情報を同期する構成を用いる。図１３に示すように、管理サーバ２は、管理サーバ２の時計２４が示す時刻を基準とした時刻情報と同期指示とを、通信ネットワークＮＷを介して基地局装置ＡＰ１ａ〜ＡＰ３ａに送信する。
【００８６】
また、図１４に示すように、基地局装置ＡＰ１ａ〜ＡＰ３ａはそれぞれＧＰＳ受信機５１、５２、５３を備えている。管理サーバ２は、ＧＰＳ受信機５１、５２、５３が受信したＧＰＳ衛星からの信号に基づいて、基地局装置ＡＰ１ａ〜ＡＰ３ａ間の時刻情報の同期を行ってもよい。
【００８７】
このように、通信エリアＡ内に配置された基地局装置ＡＰ１ａ〜ＡＰ３ａを同期させることで、基地局装置ＡＰ１ａ〜ＡＰ３ａ間の通信タイムスロットを合わせることができる。したがって、同一の通信エリアＡ内に配置された基地局装置ＡＰ１ａ〜ＡＰ３ａ各々が、無線端末装置ＭＮ１からブロードキャスト通信によりデータを受信する場合において、受信遅延やデータ転送時刻差の影響を緩和することができる。
【００８８】
＜第５の実施の形態＞
次に、本発明の第５の実施の形態について説明する。図１５は、本発明の第５の実施の形態に係る無線通信システム１ｄの構成図である。なお、以下の説明では、上述した第１から第４の実施の形態と同じ構成については同一の符号を付し、その説明を省略する。
【００８９】
第１から第４の実施の形態では、通信エリアＡにおける通信を許可する通信許可情報を受信した無線端末装置ＭＮ１が、ブロードキャスト通信によりデータを送信する場合について説明した。これに対し、第５の実施の形態では、無線端末装置ＭＮ１ａは、ブリッジ機能を備え、センサなどを備えた無線センサ端末６からのデータをブリッジする。
【００９０】
例えば、ユーザが無線端末装置ＭＮ１ａと無線センサ端末６を携帯して通信エリアＡ内を移動する。無線センサ端末６は、移動するユーザの脈拍、体温などのバイタルデータを取得する。
【００９１】
ブリッジ機能を有する無線端末装置ＭＮ１ａは通信エリアＡでの通信許可情報を受信していれば、通信エリアＡ内における通信が許可される。そのため、通信エリアＡ内でのユーザの移動に伴った、無線センサ端末６のハンドオーバ処理などの双方向通信による認証処理を行う必要がない。その結果として、無線センサ端末６をより簡略化して構成することが可能となり、製造コストの低減を図ることが可能となる。
【００９２】
本実施の形態で説明した管理サーバ２は、図１６に示すように、バス２０１ａを介して接続されるＣＰＵ２０２ａ、記憶装置２０３ａ、およびＩ／Ｆ２０４ａを備えるコンピュータと、これらのハードウェア資源を制御するプログラムによって実現することができる。ＣＰＵ２０２ａは、記憶装置２０３ａに格納されたプログラムに従って本実施の形態で説明した処理を実行する。
【００９３】
以上、本発明の無線通信システム、基地局装置および基地局装置間移動無線方法における実施の形態について説明したが、本発明は説明した実施の形態に限定されるものではなく、請求項に記載した発明の範囲において当業者が想定し得る各種の変形を行うことが可能である。
【００９４】
例えば、説明した実施の形態では、３つの基地局装置ＡＰ１ａ〜ＡＰ３ａが通信エリアＡに配置されている場合について説明したが、通信エリア内に配置する基地局装置の数についてはこれに限定されない。
【００９５】
また、説明した実施の形態では、管理サーバ２が、鍵情報管理装置２１と、データ処理装置２２と、ＲＳＳＩ情報処理装置２３と、を備える構成について説明した。しかし、鍵情報管理装置２１、データ処理装置２２、ＲＳＳＩ情報処理装置２３を、それぞれ別々のサーバとした構成を採用してもよい。
【符号の説明】
【００９６】
１、１ａ、１ｂ、１ｃ、１ｄ…無線通信システム、２…管理サーバ、２１…鍵情報管理装置、２２…データ処理装置、２３…ＲＳＳＩ情報処理装置、２４…時計、３…鍵情報管理テーブル、４…権限付与装置、５１、５２、５３…ＧＰＳ受信機、６…無線センサ端末、１１０、２１０、４１０…制御回路、１２０、２２０、４２０…記憶装置、１２１、２２１、４２１…鍵情報ＤＢ、１３０、２３０、４３０…無線通信回路、１４０…センサ、２４０、４４０…有線通信回路、ＡＰ、ＡＰａ、ＡＰ１ａ、ＡＰ２ａ、ＡＰ３ａ、ＡＰｂ、ＡＰ１ｂ、ＡＰ２ｂ、ＡＰ３ｂ…基地局装置、ＭＮ、ＭＮ１、ＭＮ１ａ、ＭＮ２、ＭＮ３…無線端末装置。
【図１】
2019004273.tif 000003
【図２】
2019004273.tif 000004
【図３】
2019004273.tif 000005
【図４】
2019004273.tif 000006
【図５】
2019004273.tif 000007
【図６】
2019004273.tif 000008
【図７】
2019004273.tif 000009
【図８】
2019004273.tif 000010
【図９】
2019004273.tif 000011
【図１０】
2019004273.tif 000012
【図１１】
2019004273.tif 000013
【図１２】
2019004273.tif 000014
【図１３】
2019004273.tif 000015
【図１４】
2019004273.tif 000016
【図１５】
2019004273.tif 000017
【図１６】
2019004273.tif 000018
【図１７】
2019004273.tif 000019